(57)【要約】【課題】ゴムシートを風船状に膨張させて突出させることにより演出効果の向上を図ることが可能な遊技機を提供すること。【解決手段】ミニコンプレッサー５００は、空気注入孔２０３を介してトップランプベース２０２の空間内に空気を送り込む又は空気を出し入れする等の動作制御を行う。するとゴムシート２０４は、このミニコンプレッサー５００の動作制御に応じて、風船状に膨張しトップランプ２０１から突出する、または突出したりしぼんだりして形状変化の動作をするので、光源および効果音発生装置等の演出処理に加えこのゴムシート２０４の形状の変化による演出効果を得ることが出来る。【選択図】　図４
2004073224.tif 000002
【特許請求の範囲】
【請求項１】
上部に遊技状態の変化に応じて演出を行う演出手段が設けられた遊技機であって、
前記演出手段は、
気体を送出する気体送出手段と、
前記気体送出手段から送出された気体を通すための空気注入孔が設けられ、前記空気注入孔を囲むように壁面が構成された箱状部材と、
前記壁面を覆うようにして前記箱状部材に溶着され、前記気体送出手段から送出された気体の圧力により風船状に膨張することが可能な弾性部材とを備えたことを特徴とする遊技機。
【請求項２】
請求項１に記載の遊技機において、
前記弾性部材は、薄膜状のゴムシートであることを特徴とする遊技機。
【発明の詳細な説明】
【０００１】
【発明の属する技術分野】
本発明は、上部に遊技状態の変化に応じて演出を行う演出手段が設けられた遊技機に関する。
【０００２】
【従来の技術】
従来の遊技機にあっては、遊技状態の変化に応じて演出として、可動体と画像を組み合わせたものや、ガラス枠に構成されたトップランプの光による演出を行うものがあった。
【０００３】
例えば、可動体と画像を組み合わせたものとして特開平２００１−２５５４６号公報に開示された遊技機では、可動体としてのハンマーが振り下ろされる動きに連動して特別図柄又は背景図柄を表示したり、変動又は停止させたりする演出処理を実行するもの等がある。
【０００４】
【発明が解決しようとする課題】
しかしながら、このような従来の遊技機では、可動体が表示領域の近傍に設けられることにより、可動体が実際の遊技において邪魔となり、そこに無駄な空間が出来ることとなる。
【０００５】
また、トップランプは、遊技盤を開閉する際に隣接する台に対してスムーズに開閉する等の干渉条件により、正面に突出して装飾等を行うのに、寸法の上限等の制限があったりした。
【０００６】
本発明は、このような従来の課題を解決するためになされたものであり、ゴムシートを風船状に膨張させて突出させることにより演出効果の向上を図ることが可能な遊技機を提供することを目的とする。
【０００７】
【課題を解決するための手段】
上記目的を達成するために、本発明は、上部に遊技状態の変化に応じて演出を行う演出手段が設けられた遊技機であって、前記演出手段は、
気体を送出する気体送出手段と、前記気体送出手段から送出された気体を通すための空気注入孔が設けられ、前記空気注入孔を囲むように壁面が構成された箱状部材と、前記壁面を覆うようにして前記箱状部材に溶着され、前記気体送出手段から送出された気体の圧力により風船状に膨張することが可能な弾性部材とを備えたことを特徴とする。
【０００８】
このような請求項１の発明によれば、空気送出手段（ミニコンプレッサー５００）によって、空気注入孔を介して箱状部材（トップランプベース２０２）の空間内に空気を送り込む又は空気を出し入れする等の動作制御を行い、弾性部材（ゴムシート２０４）を風船状に膨張させ突出する、又は突出したりしぼんだりする等の形状変化の動作をさせることにより、演出効果を得ることができ、光源による光や効果音発生装置による効果音処理等の演出に加えて演出効果の向上を図ることが可能である。
【０００９】
また上述の発明において、前記弾性部材は、薄膜状のゴムシートであってもよい。このような構成により、ゴムシートの伸縮により風船状に膨張させ突出したり、しぼんだりする等の形状変化の動作を実現すること出来る。
【００１０】
なお、このような気体送出手段の動作はコンピュータ読み取り可能な記録媒体にプログラムを記録しておき、ＣＰＵがこの記録媒体に記録したプログラムを読み取って実行することによって実現できる。このような記録媒体としては、ＲＯＭ、半導体ＩＣ等の半導体記録媒体、ＤＶＤＲＯＭ、ＣＤＲＯＭ等の光記録媒体、フレキシブルディスク等の磁気記録媒体、光磁気記録媒体等のデジタルコンテンツの書き込み及び読出しが可能な各種の記録媒体が挙げられる。また、このプログラムを所定の情報処理装置から通信網を介して遊技機にダウンロードしてインストールするようにしても良い。
【００１１】
【発明の実施の形態】
以下、本発明の実施の形態を図面を参照しつつ説明する。
【００１２】
（第１の実施の形態）
図１は遊技盤１０の模式的な説明図である。遊技盤１０の略中央部には、３つ（左、中、右）の表示エリアを有していて、各表示エリアにおいて、独立して数字やキャラクタによる図柄で構成される識別情報が変動表示可能である特別図柄表示装置１００が配設されており、その真下には特別図柄始動口１０４が配設されていて、この特別図柄始動口１０４の両側には普通図柄作動ゲート１０２、１０２が配設されている。また、一対の開閉部材１２０、１２０が特別図柄始動口１０４を形成するように離間して開閉可能に設けられている。
【００１３】
さらに、特別図柄始動口１０４の下方には、大入賞口１０６、普通図柄表示装置１０８、アウト口１１４がこの順で配設されており、さらに、特別図柄始動口１０４の両斜め上方にはランプ表示装置１１０、１１０が配設されていると共に、遊技盤１０の両側端部近傍にもランプ表示装置（より具体的にはＬＥＤ装置）１１２、１１２が配設されている。
【００１４】
そして、特別図柄始動口１０４に遊技球が入賞されて乱数抽選が行われ、この抽選された乱数が大当り値である時には、各表示エリアにおいて少なくとも１つの識別情報の変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り遊技状態（特別遊技状態）となる。
【００１５】
また、普通図柄作動ゲート１０２が遊技球の通過を検出すると、乱数抽選が行われこの抽選された乱数が小当り値である時には、普通図柄表示装置１０８の表示部を所定パターン（例えば「７」や「３」）に表示させ、その後に、開閉部材１２０が開状態となって遊技球が特別図柄始動口１０４に入賞した場合にも、同様に乱数抽選が行われこの抽選された乱数が大当り値である時には、各表示エリアにおける変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り状態（特別遊技状態）となる。一方、入賞されない打球はアウト口１１４を介して排出される。なお、図示しないハンドルを操作することに応じて不図示の発射装置が遊技球を遊技盤１０上に到達させるように構成されていて、遊技球は遊技盤１０上の様々な方向に転動されながら下方向へと流下される。
【００１６】
図２および図３は、遊技盤１０の上側に設置される演出装置２００を示す図である。図２は演出装置２００の正面図であり、図３は演出装置２００の上面図である。図２に示すように、この演出装置２００は、大当り状態等の際の演出を行うトップランプ２０１が構成されている。トップランプ２０１は、一定の形状の空間を囲むように壁面が構成されたトップランプベース２０２と、その空間内に配置された各種の光源とから構成されている。トップランプベース２０２の後部には、トップランプベース２０２内の空間に連通した空気注入孔２０３が開けられており、空気注入孔２０３を介しては当該空間に空気を送り込むことが可能である。また、トップランプベース２０２に開けられた、各種の光源に接続された配線を通すための穴は接着剤又はゴム栓等により塞がれており、トップランプベース２０２内の空間の気密性が高められている。
【００１７】
図４はトップランプ２０１の断面側面図である。図４に示すように、トップランプベース２０２の正面側には、トップランプベース２０２内
の空間を密封するように透明又は半透明のゴムシート２０４が接着剤等により溶着されている。ゴムシート２０４は、トップランプベース２０２の空間を囲む壁面および形状補正リブ２０５によって支持され、トップランプベース２０２の外表面の形状に沿って溶着されている。このゴムシート２０４は、薄膜状で伸縮が可能であり、トップランプベース２０２内の空間に後述するミニコンプレッサー５００によって空気注入孔２０３を介して空気を送り込むことにより、この空間内の空気圧でゴムシート２０４を膨張させ、風船状に突出させることが可能である。
【００１８】
図５は遊技盤１０の裏側の構造を示す説明図である。遊技機１０の裏面の下部には、図５に示すように、ミニコンプレッサー５００が設置されている。ミニコンプレッサー５００は空気注入孔２０３に接続され、気体注入孔２０３を介してトップランプベース２０２の空間内に空気を注入することが可能である。
【００１９】
次に、本実施の形態における遊技機が、上述のような構成を有することにより奏する効果について説明する。先ず、例えば特別図柄始動口１０４に遊技球が入賞されて乱数抽選が行われ、この抽選された乱数が大当り値となって遊技者にとって有利な大当り遊技状態（特別遊技状態）となった場合には、トップランプベース２０２に設置された光源が点滅したり、図示しない効果音発生装置が予め設定された効果音処理を実行したりして、所定の演出処理を行う。
【００２０】
そしてこのとき、光源および効果音発生装置等の演出処理に加えミニコンプレッサー５００が作動して、空気注入孔２０３を介してトップランプベース２０２の空間内に空気を送り込む又は空気を出し入れする等の動作制御を行う。するとゴムシート２０４は、このミニコンプレッサー５００の動作制御に応じて、図６に示すように、風船状に膨張しトップランプ２０１から突出する、または突出したりしぼんだりして形状変化の動作をするので、このゴムシート２０４の形状の変化による演出効果を得ることが出来る。このように、ゴムシート２０４の風船状に膨張してトップランプ２０１から突出する、若しくは突出およびしぼむ動作によって、ゴムシート２０４の形状変化による演出を行うことができ、光源による光や効果音発生装置による効果音処理等の演出に加えて、さらに演出効果の向上を図ることが出来る。ゴムシート２０４は、透明又は半透明であるので、光源の点滅による演出はゴムシート２０４を通して行うことができ、またゴムシート２０４の内部に微小金属（ラメ）等を混入することにより、光源からの光に様々な変化を与えることが出来るので、光による演出効果がより一層高められる。
【００２１】
このゴムシート２０４は、薄膜状に限られず、例えば表面をアニメ等のキャラクターの形状に成形すれば、ミニコンプレッサー５００の空気を送り込む又は空気を出し入れする等の動作制御に応じてキャラクターが膨らんだりしぼんだりするので、より効果的な演出を図ることが出来る。また、本実施の形態における演出処理は大当り遊技状態に限られず、リーチ又は大当りの予告等の遊技状態において実行することも可能である。
【００２２】
なお、ゴムシート２０４はトップランプベース２０２の空間を形成する壁面や形状補正リブ２０５に支持されているので、ゴムシート２０４がしぼんだりしてもトップランプベース２０２の空間内に撓んで光源等に接触することが無い。このため、演出処理の際光源が点滅して高温となるがゴムシート２０４がこの光源に接触して溶ける等のトラブルの発生が防止される。
【００２３】
以上のような本実施の形態１における遊技機によれば、ミニコンプレッサー５００により、空気注入孔２０３を介してトップランプベース２０２の空間内に空気を送り込む又は空気を出し入れする等の動作制御を行うことで、ゴムシート２０４が風船状に膨張しトップランプ２０１から突出する、または突出したりしぼんだりして形状変化の動作をするので、このゴムシート２０４の形状の変化による演出効果を得ることができ、光源による光や効果音発生装置による効果音処理等の演出に加えて、さらに演出効果の向上を図ることが出来る。
【００２４】
（第２の実施の形態）
図７は本実施の形態２における遊技機のトップランプ２０１の側面図を示す。本実施の形態におけるトップランプ２０１は、トップランプベース２０２の後方に、光源の設置箇所を構成するためのランプ基板７００が取り付けられている。ここで、本実施の形態においてはトップランプベース２０２は透明の樹脂等により構成されている。各種の光源はランプ基板７００に設置されている。これらの各種の光源は、実施の形態１のようにトップランプベース２０２の空間内に設置されていないので、光源に接続された配線を通すための穴を設けることが無くトップランプベース２０２内の空間の気密性が高まり、空気漏れを防止することが出来る。
【００２５】
以上のような構成によっても、実施の形態１と同様の効果を得ることが出来る。また、光源がトップランプベース２０２の空間内に設置されていないので、光源の配線を通すための穴をあける必要が無く、この空間の気密性が高まり空気漏れを防止できるという効果が得られる。
【００２６】
なお、以上本発明の実施の形態について説明したが、本発明の要旨を逸脱しない範囲内で上記実施形態に種々の変形や変更を施すことが可能となる。例えば、本実施の形態におけるトップランプ２０１の構成は、図示しない両側端部に構成されたランプ表示装置にも用いることが可能である。
【発明の効果】
以上説明してきたように、本発明によれば、ゴムシートを風船状に膨張させて突出させることにより演出効果の向上するという効果が得られる。
【図面の簡単な説明】
【図１】遊技盤１０の正面の模式的説明図である。
【図２】演出装置２００の正面図である。
【図３】演出装置２００の上面図である。
【図４】トップランプ２０１の断面側面図である。
【図５】コンプレッサー５００の構成図である。
【図６】実施の形態１におけるゴムシート２０４の動作の説明図である。
【図７】実施の形態２におけるトップランプ２０１の側面図である。
【符号の説明】
１０　遊技盤
１００　特別図柄表示装置
１０２　普通図柄作動ゲート
１０４　特別図柄始動口
１０６　大入賞口
１１０　ランプ表示装置
１１２　ランプ表示装置
１１４　アウト口
１１６　効果音発生装置
１２０　開閉部材
２００　演出装置
２０１　トップランプ
２０２　トップランプベース
２０３　空気注入孔
２０４　ゴムシート
２０５　形状補正リブ
５００　ミニコンプレッサー
７００　ランプ基板
【図１】
2004073224.tif 000003
【図２】
2004073224.tif 000004
【図３】
2004073224.tif 000005
【図４】
2004073224.tif 000006
【図５】
2004073224.tif 000007
【図６】
2004073224.tif 000008
【図７】
2004073224.tif 000009